(57)【要約】【課題】  光源と球衝突部と圧電素子とを備え、球衝突部への球の衝突により圧電素子に発生させた起電力で光源を発光させる構造簡単な遊技部品を得る。【解決手段】  本発明の遊技部品１は、遊技領域５０に設けられた球衝突部１３と、球Ｐの球衝突部１３への衝突で起電力を発生する圧電素子４と、球衝突部１３の前面に設けられた光源（ＬＥＤ２）と、圧電素子４と光源２とを互いに直接的に接続する配線（素子電線１１、電極板電線２８）とを備えたものとした。【選択図】図１
2006081707.tif 000002
【特許請求の範囲】
【請求項１】
遊技領域に設けられた球衝突部と、球の球衝突部への衝突で起電力を発生する圧電素子と、球衝突部の前面に設けられた光源と、圧電素子と光源とを互いに直接的に接続する配線とを備えたことを特徴とする遊技部品。
【請求項２】
圧電素子を挟み付けて保持する挟持部を備え、球の球衝突部への衝突により挟持部の壁が圧電素子を押圧して圧電素子を歪ませることで圧電素子に起電力を発生させたことを特徴とする請求項１に記載の遊技部品。
【請求項３】
圧電素子により発生させた起電力を蓄える回路を備えたことを特徴とする請求項１または請求項２に記載の遊技部品。
【発明の詳細な説明】
【技術分野】
【０００１】
本発明は、光源と球衝突部と圧電素子とを備え、球衝突部への球の衝突により圧電素子に発生させた起電力で光源を発光させる構造簡単な遊技部品に関する。
【背景技術】
【０００２】
光源としてのＬＥＤと球衝突部と圧電素子と制御装置とを備え、遊技領域に設けられた球衝突部への球の衝突を圧電素子で検出し、この検出信号に基づいて制御装置がＬＥＤの点灯制御を行う遊技部品が知られている。
【特許文献１】特開２０００−２２５２３０号公報
【特許文献２】特開２０００−１５３０１８号公報
【特許文献３】特開２００２−２８２４４９号公報
【発明の開示】
【発明が解決しようとする課題】
【０００３】
従来の遊技部品では、ＬＥＤを点灯制御するための制御装置を使用しているので、構造が複雑となる問題点があった。
【課題を解決するための手段】
【０００４】
本発明の遊技部品は、遊技領域に設けられた球衝突部と、球の球衝突部への衝突で起電力を発生する圧電素子と、球衝突部の前面に設けられた光源と、圧電素子と光源とを互いに直接的に接続する配線とを備えたことを特徴とする。圧電素子を挟み付けて保持する挟持部を備え、球の球衝突部への衝突により挟持部の壁が圧電素子を押圧して圧電素子を歪ませることで圧電素子に起電力を発生させたことや、圧電素子により発生させた起電力を蓄える回路を備えたことも特徴とする。
【発明の効果】
【０００５】
本発明の遊技部品によれば、光源と球衝突部と圧電素子とを備えた遊技部品において、球の球衝突部への衝突により圧電素子に起電力を発生させてこの起電力を光源に直接的に供給して光源を点灯させるため、光源を点灯制御するための制御装置を不要とでき、構造簡単な遊技部品を得ることができる。球の球衝突部への衝突により挟持部の壁が圧電素子を押圧して圧電素子を歪ませることで、圧電素子４による起電力を発生させやすく、球の球衝突部に衝突した場合に、光源を明確に発光させることのできる遊技部品を得ることができる。圧電素子により発生させた起電力を蓄えることで、光源の点灯時間を長くできる。
【発明を実施するための最良の形態】
【０００６】
図１〜図４は本発明の最良の形態であって、図１は遊技盤に取付けられた遊技部品を示し、図２は遊技部品を分解して示し、図３は遊技盤に対する遊技部品の取付方法を示し、図４は遊技部品に形成された電気回路を示す。
【０００７】
図２を参照し、遊技部品１を説明する。遊技部品１は、光源としてのＬＥＤ２、部品本体３、圧電素子４、電極板５、絶縁板６、取付足７、固着具８を組み合わせることによって構成される。ＬＥＤ２は、電気を光に変換する短円柱状の素子９の外周面に一方の極である−極を構成する筒状の素子電極１０が付設され、他方の極である＋極を構成する＋電極としての素子電線１１が上記素子９の他端面の中心に付設される。素子電線１１は、部品本体３の一端と他端との間の寸法、つまり、部品本体３の中心線に沿った方向の長さよりも長く、導電線の外周面がエナメルのような電気絶縁性の有る絶縁皮膜で覆われた、被覆電線である。
【０００８】
部品本体３は、電気を通す性質の良好な金属により、光源収納部１２、球衝突部１３、連接部１４、鍔部１５、圧電装着部１６、支持部１７、具結合部１８を、一端から他端に順に、一本の直線的な中心線上に連接した棒状に形成される。つまり、光源収納部１２、球衝突部１３、連接部１４、鍔部１５、圧電装着部１６、支持部１７、具結合部１８は、同心状に連接される。光源収納部１２は、部品本体３の一端面から内部に窪む収納室１９を備える。収納室１９は、ＬＥＤ２が収納されることによって、ＬＥＤ２の−電極と接触する。収納室１９の底面２０と具結合部１８の他端面２１とに貫通する配線孔２２が、部品本体３の中心線に沿って形成される。
【０００９】
球衝突部１３は、球を衝突させるための部分であって、球の衝突によって、良好に振動するように、球衝突部１３の中心線と直交する方向の外径が部品本体３のうちで最も細い。連接部１４は、球衝突部１３と鍔部１５とをつなぐための部分である。連接部１４の中心線と直交する方向の外径は、球衝突部１３の中心線と直交する方向の外径よりも大きく、鍔部１５の中心線と直交する方向の外径よりも小さい。圧電装着部１６は、圧電素子４と電極板５および絶縁板６を嵌め込むための部分である。圧電装着部１６の中心線と直交する方向の外径は、鍔部１５の外径よりも小さい。支持部１７は、取付足７を嵌め込むための部分である。支持部１７の中心線と直交する方向の外径は、圧電装着部１６の外径よりも小さい。具結合部１８は、固着具８を装着するための部分であって、固着具８がナットにより形成されていることから、ナットの雌ねじ２３を締結する雄ねじとして構成される。
【００１０】
圧電素子４は、圧電装着部１６を嵌め込むための内部孔２４が貫通された筒状であって、一端と他端との間の寸法、つまり、圧電素子４の中心線に沿った方向の厚さは、圧電装着部１６の中心線に沿った方向の寸法よりも小さい。圧電素子４の一端には圧電素子４における一方の極である＋極を構成する環板状の素子電極２５が付設される。電極板５は、中心に貫通孔２６を有する環状である。貫通孔２６の中心線と直交する方向の直径は、圧電素子４の内部孔２４の中心線と直交する方向の直径よりも大きく、圧電素子４の外径よりも小さい。電極板５の外縁部には、結線部２７が中心線と直交する方向の外側に突出する。結線部２７には、電極板電線２８が接続される。電極板電線２８は、取付足７の一端と他端との間の寸法、つまり、取付足７の中心線に沿った方向の長さよりも長く、導電線の外周面がエナメルのような電気絶縁性の有る絶縁皮膜で覆われた、被覆電線である。
【００１１】
絶縁板６は、電気を通さない性質の材料から、圧電装着部１６を嵌め込むための受孔２９が貫通された環状に形成される。絶縁板６の一端面には、受孔２９の周囲を囲む突起３０が設けられる。突起３０の中心と直交する方向の外径は、電極板５の貫通孔２６の中心と直交する方向の外径よりも大きく、電極板５の外径よりも小さい。圧電素子４と電極板５および絶縁板６を互いに重ね合わせた場合のこれらの中心線に沿った方向の長さは、圧電装着部１６の中心線に沿った方向の長さよりも大きい。取付足７は、電気を通す性質の良好な金属により、押付部３１とフランジ３２とを一端から他端に順に、一本の直線上に連接した短柱状に形成される。押付部３１とフランジ３２との中心には中心線に沿った方向に嵌合孔３３が貫通する。押付部３１とフランジ３２との周縁部には、配線孔３４が貫通する。フランジ３２には、止ねじ３５のねじ部を挿入するためのねじ挿入孔３６が形成される。押付部３１の一端とフランジ３２の他端との間の寸法、つまり、取付足７の中心線に沿った方向の厚さは、支持部１７の中心線に沿った方向の長さよりも大きく、支持部１７の中心線に沿った方向の長さと具結合部１８の中心線に沿った方向の長さとの総和よりも小さい。
【００１２】
遊技部品１は次のように組み立てられる。ＬＥＤ２の素子電線１１が部品本体３の一端から配線孔２２に挿入され、ＬＥＤ２が収納室１９に格納され、ＬＥＤ２の素子電極１０が収納室１９の内壁に接触することによって、素子電線１１の先端が部品本体３の他端から外側に突出する。圧電素子４の内部孔２４が部品本体３の他端から圧電装着部１６に嵌め込まれ、電極板電線２８が取付足７の方向に向けられた格好で、電極板５の貫通孔２６が部品本体３の他端から圧電装着部１６に嵌め込まれ、絶縁板６の突起３０が電極板５の方向に向けられた格好で、絶縁板６の受孔２９が圧電装着部１６に嵌め込まれるのに伴い、突起３０が電極板５の貫通孔２６に嵌め込まれる。このように圧電素子４、電極板５、絶縁板６が嵌め込まれた場合、絶縁板６の他端が圧電装着部１６の他端よりも具結合部１８側に位置する。
【００１３】
次に、取付足７の押付部３１が絶縁板６の方向に向けられた格好で、取付足７の配線孔３４が電極板５の電極板電線２８を取り込みつつ、取付足７の嵌合孔３３が部品本体３の他端から支持部１７に嵌め込まれる。このように取付足７が支持部１７に嵌め込まれた場合、電極板電線２８の先端が取付足７の他端から外側に突出し、フランジ３２の他端が支持部１７の他端よりも中心方向の外側に位置し、具結合部１８の他端部が取付足７の他端から外側に突出する。その後、固着具８の雌ねじ２３が取付足７の他端から外側に突出した具結合部１８の雄ねじに締結されることによって、固着具８が取付足７を部品本体３の鍔部１５の方向に押し、圧電素子４と電極板５および絶縁板６が部品本体３の鍔部１５と取付足７の押付部３１とで互いに挟み付けられる。すなわち、鍔部１５と圧電装着部１６と押付部３１によって押圧された電極板５および絶縁板６とにより、圧電素子４を挟み付けて保持する挟持部３７が形成される。よって、挟持部３７で圧電素子４が挟み付けられて、圧電素子４と電極板５とが互いに接触し、圧電素子４の素子電極２５の一端面と鍔部１５の他端面とが互いに接触し、電極板５は絶縁板６によって取付足７および部品本体３と電気的に遮断される。
【００１４】
そして、部品本体３から突出した素子電線１１における絶縁皮膜の剥離された導電線と部品本体２から突出した電極板電線２８における絶縁皮膜の剥離された導電線とが互いに導電可能に結線される。すなわち、ＬＥＤ２と圧電素子４とが導電線による配線によって直接的に接続された構造である。これによって、ＬＥＤ２、素子電線１１、電極板電線２８、電極板５、圧電素子４、圧電素子の素子電極２５、鍔部１５、連接部１４、球衝突部１３、光源収納部１２、ＬＥＤ２の素子電極１０からなる１つの閉じた電気回路が形成され、圧電素子４により発生させた起電力でＬＥＤ２を点灯させる電気回路（図４参照）を備えた遊技部品１が形成される。
【００１５】
図３に示すように、遊技盤４０には遊技部品１を取付けるために、遊技盤４０の前面４１から裏面４２に貫通する取付孔４３が形成される。取付孔４３は、遊技盤４０の前面４１側に位置する小径孔部４４と小径孔部４４から遊技盤４０の裏面４２まで延長する大径孔部４５とを同軸上に備える。小径孔部４４の中心線と直交する方向の孔径は、連接部１４の中心線と直交する方向の外径より大きく、鍔部１５の中心線と直交する方向の外径より小さい。大径孔部４５の中心線と直交する方向の孔径は、取付足７の押付部３１の中心線と直交する方向の外径より大きく、フランジ３２の中心線と直交する方向の外径より小さく、かつ、ねじ挿入孔３６；３６の間の間隔よりも小さい。
【００１６】
遊技部品１を、部品本体３の一端、すなわち、光源収納部１２側から遊技盤４０の裏面４２の大径孔部４５及び小径孔部４４に通し、取付足７の押付部３１を大径孔部４５内に嵌め込み、フランジ３２の前面を遊技盤４０の裏面４２に接触させた状態で当該フランジ３２のねじ挿入孔３６に止ねじ３５を挿入して当該止ねじ３５を遊技盤４０の裏面４２の取付孔３８に締結することにより、図１に示すように、遊技部品１が遊技盤４０に取付けられ、球衝突部１３が遊技領域５０に突出する。球衝突部１３の中心線に沿う方向の長さは、遊技盤４０の前面４１と当該前面４１の前方に配置される透過性パネル５１の内面５２との間の長さよりも短い。遊技盤４０の前面４１と透過性パネル５１の内面５２との間の長さは、球Ｐの１個分の直径より長く、球Ｐの２個分の直径の長さより短い。部品本体３の一端と透過性パネル５１の内面５２との間の長さは球Ｐの１個分の直径より短い。
【００１７】
本形態によれば、小径孔部４４の孔径が連接部１４の外径より大きく形成され、大径孔部４５の孔径が鍔部１５、圧電素子４、電極板５、絶縁板６の外径より小さく形成され、遊技部品１が遊技盤４０に取付けられた状態において、連接部１４の外周と小径孔部４４の内周との間、及び、鍔部１５、圧電素子４、電極板５、絶縁板６の外周と大径孔部４５の内周との間に隙間が形成された構成とし、取付足７のフランジ３２が遊技盤４０の裏面４２に固定された取付足７が固定端となる構造とした。このため、図外の発射機構により遊技領域５０に向けて発射されて遊技領域５０に入った球Ｐが球衝突部１３に衝突すると圧電装着部１６と取付足７との境界部分の中心を支点として部品本体３が変位しやすく、よって、鍔部１５の他端面が圧電素子４を押圧して圧電素子４を歪ませやすくなり、圧電素子４に起電力を効率的に発生させやすい構造となる。すなわち、圧電素子４を挟み付けて保持する挟持部３７を備え、球Ｐの球衝突部１３への衝突により部品本体３が変位し、挟持部３７の壁として機能する鍔部１５の他端面５５が圧電素子４を押圧して圧電素子４を歪ませることで圧電素子４が起電力を発生する。この起電力がＬＥＤ２に供給され、この起電力でＬＥＤ２が点灯する。このように、本形態の遊技部品１は、球衝突部１３への球の衝突で圧電素子４に圧力を加えやすい構成を備え、圧電素子４に発生させた起電力を、素子電線１１と電極板電線２８とによりＬＥＤ２と圧電素子４とを直接的に接続した配線によりＬＥＤ２に供給してＬＥＤ２を発光させることのできる、簡単な構造で安価な遊技部品１を得ることができる。すなわち、ＬＥＤ２を点灯制御するための制御装置を不要とでき、構造簡単で、さらに、挟持部３７により、圧電素子４による起電力を発生させやすく、球衝突部１３への球Ｐの衝突で、ＬＥＤ２を明確に発光させることのできる遊技部品１を得ることができる。
【００１８】
他の形態１
図５のように、２個の圧電素子４；４の間に電極板５を設け、電極板５と圧電装着部１６とを電気的に遮断した構成とすることで絶縁板６を不要とできる。この場合、図６のように圧電素子４を２個並列接続した電気回路構成となり、起電力を大きくできる。
【００１９】
他の形態２
圧電素子４で発生させた起電力を蓄える構成の電気回路を備えた遊技部品１を形成することもできる。上述した最良の形態による構成の遊技部品１の場合には、図７に示すように、圧電素子４とＬＥＤ２との間に逆流防止ダイオード５６と抵抗器５７とを直列接続し、逆流防止ダイオード５６と抵抗器５７との間にコンデンサ５８を並列接続した構成の電気回路を設ければよい。他の形態１の構成の遊技部品１の場合には図８に示す蓄電構成の電気回路を備えればよい。すなわち、逆流防止ダイオード５６、抵抗器５７、コンデンサ５８を経由して、圧電素子４とＬＥＤ２とを互いに直接的に接続する配線とを備えた蓄電構成の電気回路を備えることで、ＬＥＤ２の点灯時間を長くできる。
【００２０】
他の形態３
図９；図１０；１１を参照して、ＬＥＤ６０と圧電素子６１とが組付けられたブロック体６２を備えた遊技部品１００を説明する。図９は遊技盤４０の前面４１に設けられた遊技部品１００を示し、図１０は遊技部品１００を分解して示し、図１１は遊技部品１０１を拡大して示す。ブロック体６２は、ゴムにより形成された保持体６３と、ＬＥＤ６０と圧電素子６１とが実装された基板６４とを組み合わせてなる。圧電素子６１は基板６４の一面に実装され、ＬＥＤ６０は圧電素子６１に電気的に接続されて基板６４の一端６５より外側に突出した状態に取付けられる。保持体６３は、基板６４を挟持した状態で収納する凹部６６と、凹部６６から前面６７に延長するＬＥＤ通孔６８を備える。凹部６６は保持体６３の裏面６９から前面６７に向けて内部に窪んで形成される。凹部６６は球衝突部７０として機能する保持体６３の一側外面に近い位置に設けられる。保持体６３の裏面６９にある凹部６６の入口７１より基板６４をＬＥＤ６０側から凹部６６内に挿入してＬＥＤ６０をＬＥＤ通孔６８に通して保持体６３の外側に突出させると、凹部６６に入り込んだ基板６４が凹部６６の内壁７２；７２の弾性により両側から挟み込まれて支持されたブロック体６２が形成される。このブロック体６２をサイド飾り部材７３と呼ばれるような遊技部品に取付けることで本形態の遊技部品１００を形成できる。例えば、遊技盤４０の前面４１に設けられた外側ガイドレール７４の終端７５に位置するサイド飾り部材７３の裏面７６にブロック体６２を取り付けることで、当該ブロック体６２が、外側ガイドレール７４に沿って遊技領域５０内に投入される球を遊技領域５０の中央に跳ね返すための球反発体として機能する。サイド飾り部材７０の裏面７６には遊技盤４０の前面４１の方向に突出する取付柱７７が設けられ、保持体６３には取付柱７７が嵌り込む嵌合孔７８が設けられる。したがって、ブロック体６２の基部である保持体６３の嵌合孔７８に取付柱７７を嵌合した状態でサイド飾り部材７０の裏面７６と遊技盤４０の前面４１とを対向させてサイド飾り部材７３を図外の止ねじで遊技盤４０に取付ける。ＬＥＤ６０の対応するサイド飾り部材７０の位置には前後に貫通してＬＥＤ６０の光を前方に通過させるための光通過孔８０が形成される。よって、保持体６３の凹部６６に収容された基板６４の圧電素子６１と対向する一側外面が球衝突部７０となり、この球衝突部７０への球の衝突で圧電素子６１が押圧されて起電力を発生してＬＥＤ６０を発光させ、ＬＥＤ６０の光を光通過孔８０を通して遊技者が目視できる。
【００２１】
他の形態４
ブロック体６２をセンター飾り部材８１と呼ばれるような遊技部品に取付けることで形成される本形態の遊技部品１０１を図９；図１２を参照して説明する。図９は遊技盤４０の前面４１に設けられた遊技部品１０１を示し、図１２は隔壁体９７を拡大して示す。センター飾り部材８１と呼ばれるような遊技部品は、遊技盤４０の中央に形成された図外の逃げ孔の前面を塞ぐ部品である。センター飾り部材８１の中央には、逃げ孔の裏側に配置される図外の図柄表示器の表示面を覆うとともに表示面の図柄を遊技者に見せるための透過性カバー８２が設けられ、透過性カバー８２の周囲から逃げ孔の内周に沿って前方に延長する内壁８３で囲まれた空間により図柄表示部８４が形成される。そして、この図柄表示部８４の上及び左右両側に設けられて遊技盤４０の前面４１より透過性パネル５１の方向に突出する隔壁部８５と、当該センター飾り部材８１を遊技盤４０の前面４１に止ねじ８６により取付けるための取付フランジ８７とを備える。図柄表示部８４の下部は始動入賞部品９０の真上に設けられた落下誘導部９１を備えたステージと呼ばれる球踊部９２に形成される。左右両側の一方又は両方の隔壁部８５には遊技領域５０からの球Ｐを球踊部９２に取込む球取込路９３が形成される。したがって、遊技領域５０からの球Ｐが球踊部９２に入って落下誘導部９１より落下した場合に当該球Ｐは始動入賞部品９０に入賞しやすくなる。上部の隔壁部８５の左右には、裏側にブロック体６２を収納固定するための凹部９４を備えるとともに前面９５にＬＥＤ６０の光を前方に通過させる光通過孔９６の形成された隔壁体９７；９７を備え、これら隔壁体９７はその他の隔壁部８５の部分とは区画されて形成される。センター飾り部材８１の隔壁体９７の凹部９４にブロック体６２が収納固定されて形成された遊技部品１０１は、取付フランジ８７に形成された図外の貫通孔を経由して遊技盤４０の前面４１に締結される止ねじ８６により取付けられる。そして当該遊技部品１０１の隔壁体９７の上面である球衝突部９８に球Ｐが衝突するとその衝突力がブロック体６２のゴムに伝わって保持体の凹部の内壁７２が凹部６６に収納された圧電素子６１を押圧するので、ＬＥＤ６０が発光する。
【００２２】
他の形態３；４によれば、保持体６３が圧電素子６１を挟み付けて保持する挟持部としての凹部６６を備えるので、球Ｐの球衝突部７０；９８への衝突により圧電素子６１を押圧する凹部６６の内壁７２が圧電素子を歪ませることで圧電素子６１が起電力を発生するので、圧電素子６１に起電力を効率的に発生させやすい構造の遊技部品を得ることができる。また、保持体６３をゴムにより形成したので、基板６４を凹部６６で強固に挟み付けた状態に保持できる。
【産業上の利用可能性】
【００２３】
最良の形態で説明した遊技部品において、非導電材により形成された取付足７を用いれば絶縁板６を不要とできる。
【図面の簡単な説明】
【００２４】
【図１】遊技盤に取付けられた遊技部品を示す断面図（最良の形態）。
【図２】遊技部品の分解斜視図（最良の形態）。
【図３】遊技盤に対する遊技部品の取付方法を示す図（最良の形態）。
【図４】遊技部品に形成された電気回路を示す図（最良の形態）。
【図５】遊技部品を示す断面図（他の形態１）。
【図６】遊技部品に形成された電気回路を示す図（他の形態１）。
【図７】遊技部品に形成された電気回路を示す図（他の形態２）。
【図８】遊技部品に形成された電気回路を示す図（他の形態２）。
【図９】遊技盤の前面に設けられた遊技部品を示す図（他の形態３、４）。
【図１０】遊技部品の分解斜視図（他の形態３）。
【図１１】遊技部品の拡大図（他の形態３）。
【図１２】遊技部品の隔壁体の拡大図（他の形態４）。
【符号の説明】
【００２５】
１；１００；１０１  遊技部品
２；６０  ＬＥＤ（光源）
４；６１  圧電素子
１１  素子電線（配線）
１３；７０；９８  球衝突部
２８  電極板電線（配線）
３７  挟持部
５０  遊技領域
【図１】
2006081707.tif 000003
【図２】
2006081707.tif 000004
【図３】
2006081707.tif 000005
【図４】
2006081707.tif 000006
【図５】
2006081707.tif 000007
【図６】
2006081707.tif 000008
【図７】
2006081707.tif 000009
【図８】
2006081707.tif 000010
【図９】
2006081707.tif 000011
【図１０】
2006081707.tif 000012
【図１１】
2006081707.tif 000013
【図１２】
2006081707.tif 000014